(57)【特許請求の範囲】
【請求項１】
複数の撮影モードに対応した少なくとも１つの撮影に関するパラメータに基づいて、放射線源により照射された放射線を放射線検出器で検出することにより放射線画像データを取得可能な放射線撮影装置であって、
放射線検出器と、
前記放射線源と前記放射線検出器の位置関係を示す情報を検出する検出手段と、前記位置関係を示す情報に基づいて前記放射線検出器の前記撮影に関するパラメータを決定する決定手段と、
前記決定されたパラメータに基づいて放射線検出器を制御する制御手段と、を有し、
前記決定手段は、前記放射線撮影装置の撮影モードを、前記位置関係を示す情報に基づいて、被写体、前記放射線源、または前記放射線検出器の少なくともいずれかを移動させながら前記放射線検出器において取得した前記放射線画像データを再構成して画像を生成する第一の撮影モードと、前記放射線源、及び前記放射線検出器を移動させずに前記放射線検出器により前記放射線画像データを取得する第二の撮影モードとのいずれかに決定するとともに、当該決定された撮影モードに関連付けられた前記撮影に関するパラメータを決定する
ことを特徴とする放射線撮影装置。
【請求項２】
前記第一の撮影モードは断層撮影を行う撮影モードであり、前記第二の撮影モードは静止画撮影を行う撮影モードである
ことを特徴とする請求項１に記載の放射線撮影装置。
【請求項３】
前記検出手段は、前記放射線源の位置情報または前記放射線源と前記放射線検出器との距離情報の少なくともいずれかを前記位置関係を示す情報として検出する
ことを特徴とする請求項１または２に記載の放射線撮影装置。
【請求項４】
複数の撮影モードに対応した少なくとも１つの撮影に関するパラメータに基づいて、放射線源により照射された放射線を放射線検出器で検出することにより放射線画像データを取得可能な放射線撮影装置であって、
放射線検出器と、
前記放射線源と前記放射線検出器の位置関係を示す第一の情報を検出する検出手段と、前記位置関係を示す情報に基づいて前記放射線検出器の前記撮影に関するパラメータを決定する決定手段と、
前記決定されたパラメータに基づいて放射線検出器を制御する制御手段と、
前記放射線源と前記放射線検出器の位置関係が前記第一の情報が示す位置関係から変更になった場合に、該変更後の位置関係を示す情報が、前記第一の情報に基づいて決定された前記撮影パラメータに応じた撮影モードに対応するか否かの判定をする判定手段と、を有することを特徴とする放射線撮影装置。
【請求項５】
前記判定の結果に対応する表示を表示する表示手段と、
を有することを特徴とする請求項４に記載の放射線撮影装置。
【請求項６】
前記制御手段は、前記判定により合致しないと判定された場合には、撮影開始指令に応じた撮影を行えないよう制御する
ことを特徴とする請求項４に記載の放射線撮影装置。
【請求項７】
前記決定手段はさらに、前記位置関係を示す情報に基づいて前記放射線源による前記放射線の照射条件を決定する
ことを特徴とする請求項１乃至６のいずれか１項に記載の放射線撮影装置。
【請求項８】
前記決定手段はさらに、前記位置関係を示す情報に基づいて前記放射線検出器で取得される前記放射線画像データの数、又は１つの前記放射線画像データを構成するデジタルデータの数を決定するデータ加算数の少なくとも何れかを決定する
ことを特徴とする請求項１乃至７のいずれか１項に記載の放射線撮影装置。
【請求項９】
前記決定手段はさらに、前記位置関係を示す情報に基づいて被写体又は前記放射線源及び前記放射線検出器からなる撮影系の回転状態を決定する
ことを特徴とする請求項１乃至８のいずれか１項に記載の放射線撮影装置。
【請求項１０】
複数の撮影モードに対応した少なくとも１つの撮影に関するパラメータに基づいて、放射線源により照射された放射線を放射線検出器で検出することにより放射線画像データを取得可能な放射線撮影装置であって、
前記放射線源と前記放射線検出器の位置関係を示す情報を検出する検出手段と、前記位置関係を示す情報に基づいて、前記放射線撮影装置の撮影モードを、被写体又は前記放射線源の少なくともいずれかを移動させながら前記放射線検出器において取得した前記放射線画像データを再構成して断層画像を生成する第一の撮影モードと、前記被写体及び前記放射線源を回転させずに前記放射線検出器により前記放射線画像データを取得する第二の撮影モードとのいずれかに決定し、前記撮影モードに対応した前記撮影に関するパラメータを決定する決定手段と、
前記決定されたパラメータに基づいて放射線検出器を制御する制御手段と、
を有することを特徴とする放射線撮影装置。
【請求項１１】
放射線源と放射線検出器を有する放射線撮影システムの制御方法であって、前記放射線源と前記放射線検出器の位置関係を示す情報を検出するステップと、
前記位置関係を示す情報に基づいて前記放射線検出器の前記撮影に関するパラメータ、及び、前記放射線源及び前記放射線検出器からなる撮影系または被写体の少なくともいずれかの回転状態を決定するステップと、
前記決定されたパラメータに基づいて放射線撮影システムを制御するステップと、を有することを特徴とする放射線撮影システムの制御方法。
【請求項１２】
放射線源及び放射線検出器を有する放射線撮影システムの制御方法であって、前記放射線源と前記放射線検出器の位置関係を示す情報を検出するステップと、前記位置関係を示す情報に基づいて、前記放射線撮影システムの撮影モードを、被写体又は前記放射線源の少なくともいずれかを移動させながら前記放射線検出器において取得した放射線画像データを再構成して断層画像を生成する第一の撮影モードと、前記被写体及び前記放射線源を回転させずに前記放射線検出器により放射線画像データを取得する第二の撮影モードとのいずれかに決定するステップと、
前記位置関係を示す情報に基づいて、前記撮影モードに対応した撮影に関するパラメータを決定するステップと、
前記決定されたパラメータに基づいて前記放射線検出器を制御するステップと、を有することを特徴とする放射線撮影システムの制御方法。
【発明の詳細な説明】
【技術分野】
【０００１】
本発明は、複数の撮影モードでの撮影が可能な放射線撮影装置に関するものである。
【背景技術】
【０００２】
従来から、対向して配置された放射線源と放射線検出器から成る撮影系の間に被写体である被検者を配置し、被検者の体軸と略並行な軸を回転中心として、被検者を回転させながら撮影を行う放射線撮影装置が知られている。そのような撮影装置の例として、被検者を立位又は座位状態で回転させて撮影を行い、取得された放射線投影画像データを再構成して断層画像を得ている。
【０００３】
特許文献１には、更に容易な操作により、立位又は座位の静止画撮影にも兼用可能な撮影装置が開示されている。また特許文献２には、Ｃアーム型放射線撮影装置を用いてＣＴ撮影が可能な撮影装置が開示されている。
【０００４】
【特許文献１】特開２００５−２０５０８２号公報
【特許文献２】特開平１１−２２１２０６号公報
【発明の開示】
【発明が解決しようとする課題】
【０００５】
しかし、従来の放射線撮影装置においては、例えば次に述べるような問題点がある。被検者を回転させて撮影を行い、得られた放射線投影画像データを再構成して断層画像を生成するＣＴ撮影モードと、被検者を静止させて静止画撮影を得る静止画撮影モードとの撮影において、放射線源と放射線検出器との撮影距離が互いに異なる場合がある。
【０００６】
そのような場合には、所望の撮影モードに応じて放射線の放射線照射方法や放射線検出器による画像データの取得方法等のパラメータが設定されると共に、放射線源を所定の位置に移動させることにより所望の撮影距離が設定している。しかし、撮影に関するパラメータと撮影距離の設定が独立して行われると、撮影に関するパラメータ又は撮影距離が誤った設定のまま撮影が行われてしまう虞れがある。
【０００７】
本発明の目的は、上述の課題を解消し、複数の撮影モードで撮影可能とし、操作性の向上、誤操作の低減を実現し、撮影目的に合致しない撮影パラメータを用いた撮影を防止する放射線撮影装置を提供することにある。
【課題を解決するための手段】
【０００８】
本発明の実施形態に係る放射線撮影装置は、複数の撮影モードに対応した少なくとも１つの撮影に関するパラメータに基づいて、放射線源により照射された放射線を放射線検出器で検出することにより放射線画像データを取得可能な放射線撮影装置であって、放射線検出器と、前記放射線源と前記放射線検出器の位置関係を示す情報を検出する検出手段と、前記位置関係を示す情報に基づいて前記放射線検出器の前記撮影に関するパラメータを決定する決定手段と、前記決定されたパラメータに基づいて放射線検出器を制御する制御手段と、を有し、前記決定手段は、前記放射線撮影装置の撮影モードを、前記位置関係を示す情報に基づいて、被写体、前記放射線源、または前記放射線検出器の少なくともいずれかを移動させながら前記放射線検出器において取得した前記放射線画像データを再構成して画像を生成する第一の撮影モードと、前記放射線源、及び前記放射線検出器を移動させずに前記放射線検出器により前記放射線画像データを取得する第二の撮影モードとのいずれかに決定するとともに、当該決定された撮影モードに関連付けられた前記撮影に関するパラメータを決定することを特徴とする。
【発明の効果】
【０００９】
本発明に係る放射線撮影装置によれば、被写体の放射線画像データを複数の撮影モードにより取得可能であると共に、誤操作の低減を実現でき、撮影目的に合致しない撮影パラメータを用いた撮影を防止することができる。
【発明を実施するための最良の形態】
【００１０】
本発明を図示の実施例に基づいて詳細に説明する。
【実施例１】
【００１１】
図１は実施例１において、被写体である被検者を回転させながら撮影を行う放射線撮影装置の構成図を示している。回転台１上にはターンテーブル２が配置され、回転台１の下面にはターンテーブル２を駆動する駆動部３が設けられ、回転軸Ｏを中心にターンテーブル２が回転可能に構成されている。また、回転台１にはターンテーブル２の角度位置及び回転速度を検出する図示しない検出機構が設けられている。
【００１２】
ターンテーブル２上には、被検者Ｓの臀部を支持するための椅子４及び被検者Ｓの体幹部、頭部を支持するための背当ユニット５が設けられている。また、背当ユニット５の背当部５ａの上方先端には、被検者Ｓが握時するためのグリップ５ｂが設けられている。
【００１３】
背当部５ａは椅子４の座面部４ａとほぼ同じ高さに配置された回転軸５ｃにより上下に分割され、背当部５ａを回転軸５ｃを回転中心として椅子４の後方側に倒すことが可能とされている。背当部５ａのうち、放射線が照射される領域内に配置される部位は、放射線透過性が良好な材料で構成されている。
【００１４】
背当ユニット５の後方には、撮影室の床に設けられたレール６に沿って移動可能なＸ線管から成る放射線源７が配置されている。背当ユニット５の前方には、二次元状に配置された光検出素子を有し、Ｘ線である放射線を検出する放射線検出器８が放射線源７と対向して配置され、放射線源７と放射線検出器８との距離が変更可能となっている。放射線検出器８は周知の蛍光体、光検出素子、電気回路、筐体等から成り、被検者Ｓを透過した放射線による放射線画像データを検出し得るように構成される。またレール６には、放射線源７の移動位置を検出するためのリニアエンコーダ９が内蔵されている。
【００１５】
放射線検出器８には、取得された放射線投影画像データを格納するためのデータ収集部１０が接続されている。更に、このデータ収集部１０には、収納された画像データの演算処理を行う再構成部１１を介して、演算処理された画像を表示する表示部１２が接続されている。
【００１６】
また、撮影装置全体を集中制御するシステム制御部１３が設けられ、回転台１、駆動部３、レール６、放射線源７、放射線検出器８、データ収集部１０、再構成部１１と電気的に接続されている。更に、システム制御部１３には、撮影モード等の撮影条件の設定や撮影開始を指令するため入力部１４が接続されている。
【００１７】
図２は放射線検出器８の回路構成図を示している。放射線源７から出射された放射線は被検者Ｓを透過した後に放射線検出器８に入射すると、放射線検出器８に積層された図示しない蛍光体が放射線をその強度に応じた可視光に変換する。そして、この可視光の強度に応じた電荷が二次元状に配列された個々の光検出素子８ａで発生する。この電荷は光検出素子８ａの内部の蓄積部に蓄積され、被検者Ｓの放射線画像情報が二次元状の電荷分布に変換される。
【００１８】
続いて、最上列の各光検出素子８ａに備えられた転送部８ｂに転送パルスＰが送られ、転送部８ｂのＴＦＴ（thin-film transistor）にスイッチ信号が入力される。この際に、光検出素子８ａに蓄積された電荷は転送部８ｂを介してマルチプレクサ８ｃのスイッチ８ｄに転送され、スイッチが８ｄ１、８ｄ２、・・・の順に１個ずつ接続する。これにより、電荷は最終的に信号出力端子８ｅに順次に転送され、最上列１ライン分の画像信号の読み出しが完了する。このようにして、最上列から最下列へ順次に転送パルスＰが送られ、この転送パルスＰに同期して、マルチプレクサ８ｃのスイッチ８ｄが左から右へ順次に接続される。これにより、放射線検出器８に構成された全ての光検出素子８ａに蓄積されていた電荷が、それぞれ１つの画像信号として読み出される。読み出された画像信号は、図示しない増幅器、Ａ／Ｄ変換器等を通してデジタルデータに変換され、全てのデジタルデータの集まりが１つの放射線画像データとなる。
【００１９】
図３は放射線源７と放射線検出器８の撮影系の上方から見た平面図を示している。放射線検出器８の幅寸法はＷであり、放射線源７、放射線検出器８、ターンテーブル２の回転軸Ｏの相互配置に関して、放射線検出器８と回転軸Ｏとの距離がＭ、放射線源７と回転軸Ｏとの距離がＬとなるように配置されている。
【００２０】
本実施例１においては、放射線検出器８と回転台１の相対位置は固定されているため距離Ｍは一定値であり、放射線源７はレール６を介して移動可能となっているので距離Ｌは変動値となる。そして、放射線検出器８の有効撮影領域の両端と放射線源７とをそれぞれ結ぶ２本の線分に内接し、回転軸Ｏを中心とする鎖線の円の直径Ｄが、ＣＴ撮影時に生成可能な断層画像の平面上の最大領域となる。
【００２１】
図４はＣＴ撮影工程のフローチャート図を示している。先ず、ＣＴ撮影工程が開始されるとステップＳ１に進み、被検者Ｓを椅子４の座面部４ａに腰掛けさせ、体幹部及び頭部を背当ユニット５の背当部５ａに密着させる。そして、被検者Ｓの両腕を天井方向に伸ばしグリップ５ｂを握らせることにより、被検者Ｓをターンテーブル２の所定位置に配置する。
【００２２】
次に、ステップＳ２において、放射線源７と放射線検出器８がＣＴ撮影時の所望の撮影距離となるように、放射線源７をレール６に沿って所定位置に移動させる。続いて、ステップＳ３において、レール６に設けられたリニアエンコーダ９により検出された放射線源７の位置情報をシステム制御部１３に送信する。
【００２３】
図３において、例えば幅寸法Ｗが５００ｍｍ、距離Ｍが４００ｍｍの場合に、距離Ｌが３０００ｍｍとなるように放射線源７を配置する。すると、ＣＴ撮影時に生成可能な断層画像の平面上の最大領域の直径Ｄは約４４０ｍｍとなり、被検者Ｓの胸部全体のＣＴ撮影が可能となる。
【００２４】
そして、ステップＳ４において、予めシステム制御部１３に設定・保管されている放射線源７の位置情報と撮影モードとの相関テーブルに基づき、撮影モードが自動的に決定される。本実施例においては、距離Ｌが３０００ｍｍ、即ち撮影距離（Ｍ＋Ｌ）が３４００ｍｍとなる場合に撮影モードが胸部ＣＴ撮影になるように、予め相関テーブルに設定されている。続いて、ステップＳ５において、予めシステム制御部１３に設定・保管されている撮影モードと撮影に関するパラメータとの相関テーブルに基づき、胸部ＣＴ撮影に関する撮影パラメータが自動的に決定される。そして、ステップＳ６において、入力部１４にステップＳ５で決定した撮影パラメータを表示する。
【００２５】
次に、入力部１４に表示された撮影に関するパラメータが確認されると、ステップＳ７において、入力部１４から撮影開始指令が入力されたか否か判断し、撮影開始指令が入力されたと判断するとステップＳ８に進む。なお、ステップＳ７において撮影開始指令が入力されない場合には、撮影開始指令が入力されるまでステップＳ７を繰り返す。
【００２６】
ステップＳ８において、駆動部３がターンテーブル２の回転を開始させ、ステップＳ９において、ターンテーブル２が所定の回転速度に達したか否かを判断する。ターンテーブル２が所定速度に達した場合にはステップＳ１０に進み、放射線源７から被検者Ｓに向けて胸部ＣＴ撮影に適した所定の照射条件で放射線が照射される。なお、ステップＳ９においてターンテーブル２が所定の回転速度に達していないと判断された場合には、所定の回転速度に達するまでステップＳ９を繰り返す。
【００２７】
続いて、ステップＳ１１において被検者Ｓの撮影が開始され、放射線照射領域内に配置された被検者Ｓの胸部の放射線画像データが、放射線検出器８によってターンテーブル２の所定の回転角度毎に所定の数だけ取得される。そして、被検者Ｓの撮影が開始されてから、３６０°回転することで１スキャン分の撮影が終了し、ステップＳ１２において撮影が終了したか否か判断する。そして、撮影が終了したと判断されると、放射線検出器８による放射線画像データの取得が停止し、ステップＳ１３に進み、放射線源７からの放射線の照射が停止されると同時に、駆動部３がターンテーブル２の回転を減速して停止する。また、ステップＳ１２において撮影が未だ終了していないと判断された場合には、ステップＳ１１に戻り、放射線画像データの取得を継続する。
【００２８】
一方、ステップＳ１１においてターンテーブル２の所定の角度毎に取得された複数の放射線画像データは、ステップＳ１４に進み、順次にデータ収集部１０に送信、格納される。そして、ステップＳ１５において、再構成部１１によって放射線画像データの再構成処理が行われ、所定の断層画像を生成した後に、ステップＳ１６において、表示部１２に断層画像を表示し終了する。
【００２９】
ここで、放射線検出器８によって取得される１つの放射線画像データは、互いに隣接する４×４（＝１６）個の光検出素子８ａに蓄積された電荷を、１つの画像信号として加算して読み出すように制御される。即ち、図２で説明した二次元状に配列された光検出素子８ａのうち、互いに隣接する最上列４列の各光検出素子８ａの転送部８ｂに同時に転送パルスＰが送られ、転送部８ｂのＴＦＴにスイッチ信号が入力される。すると、縦に隣接する４画素の画像信号が同時にマルチプレクサのスイッチ８ｄに転送される。
【００３０】
そして、隣接する４つのスイッチ８ｄが同時に接続されると隣接する１６個の光検出素子８ａに蓄積された電荷を同時に加算することにより読み出すことができる。この隣接するマルチプレクサの４つのスイッチの同時接続を左から右へ順次繰り返すことにより最上列４列分の画像信号の読み出しが１６個の光検出素子毎に完了する。この動作を最上列から最下列へ順次に繰り返すことにより、隣接する１６個の光検出素子８ａに蓄積された電荷が１つの画像信号として読み出される。
【００３１】
従って、放射線検出器８によって取得される１つの放射線画像データを構成するデジタルデータの数は、光検出素子８ａの総数の１／１６となる。従って、全てのデジタルデータのデータ収集部１０への送信時間や保管時のメモリ容量、更に再構成部１１による断層画像生成時の再構成処理時間の低減が可能となる。
【００３２】
図５は静止画撮影工程のフローチャート図を示している。先ず、静止画撮影工程が開始されると、ステップＳ２１に進み、図１の鎖線で示すように、背当部５ａの上部を回転軸５ｃを回転中心として椅子４の反対側に倒すことにより、背当部５ａを放射線照射範囲から退避させる。続いて、ステップＳ２２において、被検者Ｓを鎖線で示すように立位状態で放射線検出器８に近接して配置させる。次に、ステップＳ２３において、放射線源７と放射線検出器８が静止画撮影時の所望の撮影距離となるように、放射線源７をレール６に沿って所定位置に移動させる。ステップＳ２４において、レール６に設けられたリニアエンコーダ９により検出された放射線源７の位置情報をシステム制御部１３へ送信する。
【００３３】
図３において、例えば距離Ｍが４００ｍｍの場合において、距離Ｌが１４００ｍｍとなるように放射線源７を配置すると、撮影距離（Ｍ＋Ｌ）が胸部静止画撮影時の撮影距離として一般的に用いられている１８００ｍｍとなる。
【００３４】
図４に示すフローチャート図と同様に、ステップＳ２５において予めシステム制御部１３に設定・保管されている放射線源７の位置情報又は撮影距離情報と撮影モードとの相関テーブルに基づき、撮影モードが胸部静止画撮影モードであると決定される。撮影モードが決定されると、ステップＳ２６において、予めシステム制御部１３に設定・保管されている撮影モードと撮影に関するパラメータとの相関テーブルに基づき、胸部静止画撮影に関する各種パラメータが自動的に決定される。そしてステップＳ２７において、入力部１４にステップＳ２６で決定した撮影パラメータを表示する。
【００３５】
次に、ステップＳ２８において、撮影開始指令が入力されたか否か判断する。入力部１４に表示された撮影に関するパラメータが確認され、入力部１４より撮影開始指令が入力されるとステップＳ２９に進み、決定された撮影に関するパラメータに基づいて作動する。なお、ステップＳ２８において撮影開始指令が入力されない場合には、撮影開始指令が入力されるまでステップＳ２８を繰り返す。
【００３６】
ステップＳ２８において撮影開始指令が入力されるとステップＳ２９において、放射線源７から被検者Ｓに向けて胸部静止画撮影に適した所定の照射条件で放射線が照射される。続いてステップＳ３０において、被検者Ｓの撮影が開始され、放射線照射領域内に配置された被検者Ｓの胸部の放射線画像データが放射線検出器８によって取得される。そして、ステップＳ３１において、被検者Ｓの撮影が開始されてから所定時間の経過後に、放射線の照射を停止し撮影が終了する。撮影が終了すると、ステップＳ３２において取得された１つの放射線画像データが収集部１０に送信、格納した後に、ステップＳ３３において静止画として表示部１２に表示する。
【００３７】
ここで、１個の光検出素子８ａに蓄積された電荷が１つの画像信号として読み出すように制御され、放射線検出器８によって取得される１つの放射線画像データは、光検出素子８ａの総数と同数のデジタルデータから構成される。
【００３８】
以上説明した２種類の撮影モードにおける撮影工程の場合に、例えば管電圧や管電流、放射線の照射時間等の放射線源７から照射される放射線の照射条件、ターンテーブル２の回転状態が異なる。また、放射線検出器８によって取得される放射線画像データの数や１つの放射線画像データを構成するデジタルデータの数を決定するデータ加算数が異なり、撮影モードに連動して決定される撮影に関するパラメータとなる。
【００３９】
本実施例１においては、放射線源７の移動による撮影距離の設定により撮影モード及び撮影に関するパラメータが自動的に切換わるため、操作性の向上及び誤操作の低減が可能となる。
【実施例２】
【００４０】
図６は実施例２におけるＣＴ撮影工程のフローチャート図を示している。なお、図４と同一の工程には同一のステップを付している。
【００４１】
先ず、本実施例におけるＣＴ撮影工程が開始されると、ステップＳ３１において入力部１４に表示された複数の撮影モードから所望の撮影モードが選択され、入力部１４から直接入力される。次にステップＳ３２において、ステップＳ３１において入力された撮影モード情報をシステム制御部１３に送信する。
【００４２】
本実施例２においては、撮影モードが胸部ＣＴ撮影モードとして入力、送信される。撮影モードが決定されると、ステップＳ３３において、予めシステム制御部１３に設定・保管されている撮影モードと撮影に関するパラメータとの相関テーブルに基づいて、放射線源７の位置情報又は撮影距離情報が自動的に決定される。また、ステップＳ３２において、システム制御部１３に撮影モード情報が送信されると、放射線源７の位置情報以外の撮影に関するパラメータも実施例１のステップＳ５と同様に決定される。
【００４３】
次に、実施例１のステップＳ１〜Ｓ３と同様の工程が行われる。本実施例では実施例１のＣＴ撮影工程と同様に、撮影距離が３４００ｍｍとなるように放射線源７が配置される。続いて、ステップＳ３４において、システム制御部１３により決定された放射線源７の位置情報と、ステップＳ３においてシステム制御部１３に送信された放射線源７の位置情報とが合致しているか否かを判定する。そして、合致した場合はステップＳ３５に進み、表示部１２に判定結果「ＯＫ」を表示し、ステップＳ７〜Ｓ１６を経てＣＴ撮影工程が終了する。その判定結果及び撮影に関する他のパラメータが入力部１４に表示される。ステップＳ３４において合致しない場合には、ステップＳ３６に進み、表示部１２に判定結果「ＮＧ」を表示し、再びステップＳ２へ戻り、放射線源７がＣＴ撮影時の所望の位置となるように移動させる。
【００４４】
本実施例２においては、撮影距離以外の撮影に関するパラメータは入力された撮影モードに対応して自動的に決定されるが、撮影に関するパラメータの一部である撮影距離の設定が独立して行われる。しかし、入力された撮影モードに対応した所望の撮影距離になっているかどうかが判定、表示されるので、誤操作の低減が可能となる。
【００４５】
以上、本発明の好ましい実施例について説明したが、本発明はこれらの実施例に限定されないことは云うまでもなく、その要旨の範囲内で種々の変形及び変更が可能である。
【図面の簡単な説明】
【００４６】
【図１】実施例１の放射線撮影装置の構成図である。
【図２】放射線検出器の回路構成図である。
【図３】撮影系に関する配置の平面図である。
【図４】ＣＴ撮影工程のフローチャート図である。
【図５】静止画撮影工程のフローチャート図である。
【図６】実施例２のＣＴ撮影工程のフローチャート図である。
【符号の説明】
【００４７】
１  回転台
２  ターンテーブル
３  駆動部
４  椅子
５  背当ユニット
５ａ  背当部
５ｂ  グリップ
５ｃ  回転軸
６  レール
７  放射線源
８  放射線検出器
９  リニアエンコーダ
１０  データ収集部
１１  再構成部
１２  表示部
１３  システム制御部
１４  入力部
Ｓ  被検者
【図１】
0005448316.tif 000002
【図２】
0005448316.tif 000003
【図３】
0005448316.tif 000004
【図４】
0005448316.tif 000005
【図５】
0005448316.tif 000006
【図６】
0005448316.tif 000007